(57)【要約】【課題】  汚物が付着し易いボウル部内の後方側領域について洗浄性を高めつつ、且つ、旋回性が低下することを抑制することが可能な水洗大便器を提供する。【解決手段】  汚物受け面の上縁部に形成されるリム部と、を備えたボウル部と、リム部に設けられてボウル部内に洗浄水を吐水して旋回流を形成するリム吐水部と、を有し、ボウル部は、さらに、汚物受け面の上縁部とリム部の下端部との間にリム吐水部から周方向に形成され且つリム吐水部から吐水された洗浄水を周方向に導く棚部を備えており、リム吐水部は、上ボウル部の後方側領域の左右いずれかのリム部に設けられて洗浄水をボウル部内の後端を経由した後にボウル部の前方側領域へ向かうよう吐水するリム吐水口を形成し、棚部の幅は、ボウル部の後方から側方につれて大きくなるように設定されている水洗大便器である。【選択図】  図１
2018159246.tif 000002
【特許請求の範囲】
【請求項１】
洗浄水源から供給される洗浄水によって洗浄されて汚物を排出する水洗大便器であって、
ボウル形状の汚物受け面と、この汚物受け面の上縁部に形成されるリム部と、を備えたボウル部と、
このボウル部の下方に接続されて汚物を排出する排水路と、
上記リム部に設けられて上記ボウル部内に洗浄水を吐水して旋回流を形成するリム吐水部と、を有し、
上記ボウル部は、さらに、上記汚物受け面の上縁部と上記リム部の下端部との間に上記リム吐水部から周方向に形成され且つ上記リム吐水部から吐水された洗浄水を周方向に導く棚部を備えており、
上記リム吐水部は、上記ボウル部の後方側領域の左右いずれかの上記リム部に設けられて洗浄水を上記ボウル部内の後端を経由した後に上記ボウル部の前方側領域へ向かうよう吐水するリム吐水口を形成し、
上記棚部の幅は、上記ボウル部の後方から側方につれて大きくなるように設定されている水洗大便器。
【請求項２】
上記ボウル部は、さらに、上記リム部の下端部と上記棚部の外縁部との間を曲面にて連結する外側連結部を備えており、この外側連結部の曲面の上下方向の曲率半径は、上記ボウル部の後方から側方につれて小さくなるように設定されている請求項１記載の水洗大便器。
【請求項３】
上記ボウル部の中心に対して左右対称の位置における上記外側連結部の曲面の上下方向の曲率半径は、上記ボウル部の側方側領域の内の上記リム吐水口が形成されている一方側の領域の方が、上記リム吐水口が形成されていない他方側の領域よりも大きくなるように設定されている請求項２記載の水洗大便器。
【請求項４】
上記ボウル部は、さらに、上記棚部の内縁部と上記汚物受け面の上縁部との間を曲面にて連結する内側連結部を備えており、この内側連結部の曲面の上下方向の曲率半径は、上記ボウル部の後方から側方につれて小さくなるように設定されている請求項１乃至３の何れか１項に記載の水洗大便器。
【請求項５】
上記棚部は、上記ボウル部内の外側から内側に向かって下り傾斜する傾斜面を備えており、この傾斜面の傾斜角度は、上記ボウル部の後方から側方に位置するにつれて小さくなるように設定されている請求項１乃至４の何れか１項に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、水洗大便器として、ボウル部の側方中央部の少し後方側のリム部に第１リム吐水口が形成されると共に、ボウル部の後方側のリム部に第２リム吐水口が設けられており、これらの第１リム吐水口及び第２リム吐水口のそれぞれから洗浄水が吐水されるものが知られている（例えば、特許文献１参照）。
この種の水洗大便器においては、大便が最も付着しやすいボウル部の後端部を第２吐水口から吐水される洗浄水により洗浄することができる。
【先行技術文献】
【特許文献】
【０００３】
【特許文献１】特開２０１５−１９６９６０号公報
【発明の概要】
【発明が解決しようとする課題】
【０００４】
上述した水洗大便器においては、例えば、節水化のために吐水される流量を減らす場合、吐水口から吐水される洗浄水の水勢が小さくなる懸念がある。吐水口をボウル部の後方側に配置し、吐水口から吐水される洗浄水の水勢が小さい場合、ボウル部の後端部は洗浄されるが、ボウル部の後端を経由した洗浄水が前方へ向かっても、ボウル部の前端に辿り着けない、あるいは、辿り着いても水勢が弱く前端を旋回しきれない懸念がある。また、例えば、リム部の全周における吐水口の数を複数でなく１つとし、吐水口をボウル部の後方側に配置する場合、その１つの吐水口から吐水される洗浄水のみにてボウル部の後端を経由しつつ、前端を旋回させなくてはならず、吐水される洗浄水の流量によっては、ボウル部の前端に辿り着けない、あるいは、辿り着いても水勢が弱く前端を旋回しきれない懸念がある。
ボウル部の前端に辿り着けない、あるいは、辿り着いても水勢が弱く前端を旋回しきれない場合、即ち、旋回性が低下する場合、ボウル部の前方側における洗浄性が低下する懸念がある。
【０００５】
本発明は、上述した問題を解決するためになされたものであり、汚物が付着し易いボウル部内の後方側領域について洗浄性を高めつつ、且つ、旋回性が低下することを抑制することが可能な水洗大便器を提供することを目的とする。
【課題を解決するための手段】
【０００６】
本発明は、洗浄水源から供給される洗浄水によって洗浄されて汚物を排出する水洗大便器であって、ボウル形状の汚物受け面と、この汚物受け面の上縁部に形成されるリム部と、を備えたボウル部と、このボウル部の下方に接続されて汚物を排出する排水路と、上記リム部に設けられて上記ボウル部内に洗浄水を吐水して旋回流を形成するリム吐水部と、を有し、上記ボウル部は、さらに、上記汚物受け面の上縁部と上記リム部の下端部との間に上記リム吐水部から周方向に形成され且つ上記リム吐水部から吐水された洗浄水を周方向に導く棚部を備えており、上記リム吐水部は、上記ボウル部の後方側領域の左右いずれかの上記リム部に設けられて洗浄水を上記ボウル部内の後端を経由した後に上記ボウル部の前方側領域へ向かうよう吐水するリム吐水口を形成し、上記棚部の幅は、上記ボウル部の後方から側方につれて大きくなるように設定されている水洗大便器である。
【０００７】
このように構成された本発明においては、ボウル部の後方側領域の左右いずれかのリム部に設けられたリム吐水部のリム吐水口から後方に吐水された洗浄水は、棚部上に沿って流れることによりボウル部の周方向に導かれて旋回する流れ（旋回流）を形成する。この際、棚部の幅がボウル部の後方から側方につれて大きくなるように設定されているため、リム吐水口から後端へ向けて吐水された洗浄水は、ボウル部の後方の棚部に差し掛かると、幅が比較的小さい棚部からボウル部内の後方領域にスムーズに流れ込むことができる。また、ボウル部の側方の棚部に差し掛かると、幅が後方よりも大きいため、洗浄水が棚部から落ちにくく棚部上に沿ってより前方へ向かいやすくなる。したがって、汚物が付着し易いボウル部内の後方側領域について、洗浄性を高めつつ、旋回性が低下することを抑制することができる。
【０００８】
本発明は、好ましくは、上記ボウル部は、さらに、上記リム部の下端部と上記棚部の外縁部との間を曲面にて連結する外側連結部を備えており、この外側連結部の曲面の上下方向の曲率半径は、上記ボウル部の後方から側方につれて小さくなるように設定されている。
【０００９】
このように構成された本発明においては、ボウル部が、さらに、リム部の下端部と棚部の外縁部との間を曲面にて連結する外側連結部を備えており、この外側連結部の曲面の上下方向の曲率半径がボウル部の側方から後方につれて大きくなるように設定されているため、リム吐水口から後端に向けて吐水された洗浄水がボウル部の後方の外側連結部に差し掛かると、外側連結部の曲面の上下方向の比較的大きな曲率半径で幅が比較的小さい棚部からボウル部内の後方領域にスムーズに流れ込むことができる。また、ボウル部の側方の棚部に差し掛かると、後方よりも幅が大きく且つ外側連結部の曲面の上下方向の曲率変形が後方よりも小さいため、洗浄水が棚部から落ちにくく棚部上に沿ってより前方へ向かいやすくなる。したがって、汚物が付着し易いとボウル部内の後方側領域について、より洗浄性を高めつつ、旋回性が低下することをさらに抑制することができる。
【００１０】
本発明は、好ましくは、上記ボウル部の中心に対して左右対称の位置における上記外側連結部の曲面の上下方向の曲率半径は、上記ボウル部の側方側領域の内の上記リム吐水口が形成されている一方側の領域の方が、上記リム吐水口が形成されていない他方側の領域よりも大きくなるように設定されている。
【００１１】
このように構成された本発明においては、ボウル部の中心に対して左右対称の位置における外側連結部の曲面の上下方向の曲率半径について、ボウル部の側方側領域の内のリム吐水口が形成されている一方側の領域の方が、リム吐水口が形成されていない他方側の領域よりも大きくなるように設定されているため、リム吐水口から後端に向けて吐水された洗浄水がボウル部の側方側領域の一方側の領域から後方に差し掛かると、幅が比較的小さい棚部からボウル部内の後方領域にスムーズに流れ込むことができる。また、ボウル部の側方の棚部に差し掛かると、後方よりも幅が大きいため、洗浄水が棚部から落ちにくく棚部上に沿ってより前方へ向かいやすくなる。したがって、汚物が付着し易いボウル部内の後方側領域について、より洗浄性を高めつつ、旋回性が低下することをさらに抑制することができる。
【００１２】
本発明は、好ましくは、上記ボウル部は、さらに、上記棚部の内縁部と上記汚物受け面の上縁部との間を曲面にて連結する内側連結部を備えており、この内側連結部の曲面の上下方向の曲率半径は、上記ボウル部の後方から側方につれて小さくなるように設定されている。
【００１３】
このように構成された本発明においては、ボウル部が、さらに、棚部の内縁部と汚物受け面の上縁部との間を曲面にて連結する内側連結部を備えており、この内側連結部の曲面の上下方向の曲率半径がボウル部の後方から側方につれて小さくなるように設定されているため、リム吐水口から後方に吐水された洗浄水がボウル部の後方の内側連結部に差し掛かると、この内側連結部の曲面の上下方向の比較的大きな曲率半径で幅が比較的小さい棚部からボウル部内の後方領域にスムーズに流れ込むことができる。また、ボウル部の側方の棚部に差し掛かると、後方よりも幅が大きく且つ内側連結部の曲面の上下方向の曲率半径が小さいため、洗浄水が棚部から落ちにくく棚部上に沿ってより前方へ向かいやすくなる。したがって、汚物が付着し易いボウル部内の後方側領域について、より洗浄性を高めつつ、旋回性が低下することをさらに抑制することができる。
【００１４】
本発明は、好ましくは、上記棚部は、上記ボウル部内の外側から内側に向かって下り傾斜する傾斜面を備えており、この傾斜面の傾斜角度は、上記ボウル部の後方から側方に位置するにつれて小さくなるように設定されている。
【００１５】
このように構成された本発明においては、棚部がボウル部内の外側から内側に向かって下り傾斜する傾斜面を備えており、この傾斜面の傾斜角度がボウル部の後方から側方に位置するにつれて小さくなるように設定されているため、リム吐水口から後端へ向けて吐水された洗浄水がボウル部の後方の棚部の傾斜面に差し掛かると、傾斜角度が比較的大きく幅が比較的小さい棚部からボウル部内の後方領域にスムーズに流れ込むことができる。また、ボウル部の側方の棚部に差し掛かると、後方よりも幅が大きく且つ傾斜角度が小さいため、洗浄水が棚部から落ちにくく棚部上に沿ってより前方へ向かいやすくなる。したがって、汚物が付着し易いボウル部内の後方側領域について、より洗浄性を高めつつ、旋回性が低下することをさらに抑制することができる。
【発明の効果】
【００１６】
本発明の水洗大便器によれば、汚物が付着し易いボウル部内の後方側領域について洗浄性を高めつつ、且つ、旋回性が低下することを抑制することが可能となる。
【図面の簡単な説明】
【００１７】
【図１】本発明の一実施形態による水洗大便器の便器本体の中央側面断面図。
【図２】本発明の一実施形態による水洗大便器の便器本体の平面図。
【図３】図２のＡ１−Ａ１線に沿った断面図。
【図４】図２のＡ２−Ａ２線に沿った断面図。
【図５】図２のＢ１−Ｂ１線に沿った断面図。
【図６】図２のＢ２−Ｂ２線に沿った断面図。
【図７】図２のＣ１−Ｃ１線に沿った断面図。
【図８】図２のＣ２−Ｃ２線に沿った断面図。
【図９】図２のＤ−Ｄ線に沿った断面図。
【発明を実施するための形態】
【００１８】
以下、図面を参照して本発明の一実施形態による水洗大便器について説明する。
まず、図１及び図２により本発明の一実施形態による水洗大便器の構成について説明する。図１は本発明の一実施形態による水洗大便器の便器本体の中央側面断面図であり、図２は本発明の一実施形態による水洗大便器の便器本体の平面図である。
【００１９】
図１及び図２に示すように、本発明の一実施形態による水洗大便器１は、陶器製の便器本体２を備えている。
なお、図１及び図２に示す本実施形態の水洗大便器１においては、便器本体２の上面に便座及び便蓋が設けられていると共に、その後方側には、使用者の局部を洗浄する衛生洗浄部や便器本体２への給水機能に関与する給水系機能部等の機能部等が設けられているが、これらについては図示せず、説明を省略する。
【００２０】
また、図１及び図２に示すように、便器本体２は、ボウル形状の汚物受け面４と、この汚物受け面４の上縁部に形成される棚部６と、この棚部６の外縁部から立ち上がるように形成されたリム部８とからなるボウル部１０を備えている。
さらに、図１に示すように、便器本体２は、ボウル部１０の下方に入口部１２ａが接続されて、ボウル部１０内の汚物を排出する排水路である排水トラップ管路１２を備えている。
ここで、図１及び図２に示す本発明の第１実施形態による水洗大便器１においては、便器本体２のボウル部１０の平面視における水平左右方向の中心軸線を「Ｘ」で示し、水平前後方向の中心軸線を「Ｙ」で示し、ボウル部１０の中心Ｏを通る鉛直方向の中心軸線「Ｚ」で示している。
また、図２に示すように、水洗大便器１の前後左右の方向については、「前」、「後」、「左」、「右」でそれぞれ示している。
そして、図１及び図２に示すように、水洗大便器１のボウル部１０における中心Ｏ、水平左右方向の中心軸線Ｘ、及び鉛直方向の中心軸線Ｚに対して、前方側、後方側のそれぞれの領域について、「前方側領域Ｆ」、「後方側領域Ｂ」とそれぞれ定義している。
さらに、図２に示すように、水洗大便器１のボウル部１０における中心Ｏ、水平前後方向の中心軸線Ｙに対して、前方から見て左側、右側のそれぞれの領域について、「左側領域Ｌ」、「右側領域Ｒ」とそれぞれ定義している。
【００２１】
つぎに、図１及び図２に示すように、ボウル部１０の後方側領域Ｂ内の左右の一方の側のリム部８、すなわち、便器本体２の前方から見てボウル部１０の後方側領域Ｂ内の右側領域Ｒのリム部８の内周側には、ボウル部１０内に洗浄水を後端部に向けて吐水して旋回流を形成するリム吐水部の一部である単一のリム吐水口１４が形成されている。すなわち、この単一のリム吐水口１４は、リム部８の内周側の全周における後方側領域Ｂ且つ右側領域Ｒの一部分に設けられたリム部８の全周における唯一の吐水口である。
また、リム吐水口１４の上流側のリム通水路（図示せず）は、上流側が、導水管（図示せず）等を介して洗浄水源である水道（図示せず）等に接続されている。
さらに、ボウル部１０の棚部６は、リム吐水口１４から下流側に周方向に形成されており、リム吐水口１４から後方に向けて吐水（リム吐水）された洗浄水が、棚部６上に沿って周方向に導かれるようになっている。
【００２２】
なお、本実施形態の水洗大便器１においては、リム吐水口１４が便器本体２の前方から見てボウル部１０の後方側領域Ｂ内の右側のリム部８の内周側に形成された形態について説明するが、このような形態に限られず、単一のリム吐水口１４については、ボウル部１０の後方側領域Ｂの左右いずれかのリム部８の内周側に設けられていて、かつリム吐水口１４からボウル部１０の後端を経由した後にボウル部１０の前方側領域Ｆ内に向けて吐水（リム吐水）されるような形態であればよい。例えば、後方側領域Ｂ内の中心軸線Ｙと中心軸線Ｘとの間において、中心軸線Ｙと中心軸線Ｘとの間の中心より中心軸線Ｙ側にリム吐水口が形成され、中心軸線Ｙとボウル部２０との交点を目掛けて中心軸線Ｘが延びる方向と同じ方向にリム吐水を行ってもよい。
【００２３】
さらに、図１に示すように、ボウル部１０の底部には、排水トラップ管路１２の入口部１２ａに差し向けられるようにジェット吐水口１６が形成されており、このジェット吐水口１６からも給水系機能部（図示せず）からの吐水（ジェット吐水）が行われるようになっている。
なお、本実施形態による水洗大便器１においては、リム吐水口１４によるリム吐水について水道の給水圧力を利用して行い、ジェット吐水口１６によるジェット吐水について加圧ポンプ（図示せず）を制御することにより貯水タンク（図示せず）内の洗浄水を供給する、いわゆる、ハイブリット式の水洗大便器の形態について説明するが、このような形態に限られず、他の形態についても適用可能である。また、ジェット吐水口１６によるジェット吐水について省略した形態であってもよい。
【００２４】
つぎに、図１〜図９を参照して、本発明の一実施形態による水洗大便器１のボウル部１０の汚物受け面４の上縁部からリム部８までの部分の詳細について説明する。
まず、図４は、図２のＡ１−Ａ１線に沿った断面図（Ａ１−Ａ１断面図）であり、図５は、図２のＡ２−Ａ２線に沿った断面図（Ａ２−Ａ２断面図）である。
つぎに、図６は、図２のＢ１−Ｂ１線に沿った断面図（Ｂ１−Ｂ１断面図）であり、図７は、図２のＢ２−Ｂ２線に沿った断面図（Ｂ２−Ｂ２断面図）である。
また、図８は、図２のＣ１−Ｃ１線に沿った断面図（Ｃ１−Ｃ１断面図）であり、図９は、図２のＣ２−Ｃ２線に沿った断面図（Ｃ２−Ｃ２断面図）である。
さらに、図１０は、図２のＤ−Ｄ線に沿った断面図（Ｄ−Ｄ断面図）である。
ここで、本実施形態において、図６に示すＢ１−Ｂ１断面図及び図８に示すＣ１−Ｃ１断面図のそれぞれについては、図２に示す平面視の便器本体２におけるＡ１−Ａ１線に沿った断面からボウル部１０の中心Ｏを中心に周方向左回りに３０°及び６０°それぞれずらしたボウル部１０の後方側領域Ｂの部分断面図である。
また、図７に示すＢ２−Ｂ２断面図、図９に示すＣ２−Ｃ２断面図、及び図１０に示すＤ−Ｄ断面図のそれぞれについては、図２に示す平面視の便器本体２におけるＡ２−Ａ２線に沿った断面からボウル部１０の中心Ｏを中心に周方向右回りに３０°、６０°、及び９０°それぞれずらしたボウル部１０の後方側領域Ｂの部分断面図である。
【００２５】
まず、図１〜図９に示すように、棚部６は、ボウル部１０内の外側から内側に向かって下り傾斜する傾斜面６ａを備えており、図３〜図に示す棚部６の各傾斜面６ａの各傾斜角度α１，α２，β１，β２，γ１，γ２，δは、ボウル部１０の後方から側方に位置するにつれて小さくなるように設定されている（α１≦β１＜γ１≦δ、α２≦β２＜γ２＜δ）。なお、α１やα２、及びＢ１−Ｂ１断面、Ｂ２−Ｂ２断面より前方側において、傾斜面６ａの傾斜角度は０°となってもよい。
【００２６】
また、図２、図５及び図６に示すように、ボウル部１０の中心Ｏに対して左右対称の位置における棚部６の傾斜面６ａの傾斜角度β１，β２では、ボウル部１０の側方側領域の内のリム吐水口１４が形成されている一方側の領域（便器本体２を前方から見て右側領域Ｒ）の棚部６の傾斜面６ａの傾斜角度β１の方が、リム吐水口１４が形成されていない他方側の領域（便器本体２を前方から見て左側領域Ｌ）の棚部６の傾斜面６ａの傾斜角度β２よりも大きくなるように設定されている（β１＞β２）。
同様に、図７及び図８に示すように、ボウル部１０の中心Ｏに対して左右対称の位置における棚部６の傾斜面６ａの傾斜角度γ１，γ２では、ボウル部１０の側方側領域の内のリム吐水口１４が形成されている一方側の領域の棚部６の傾斜面６ａの傾斜角度γ１の方が、リム吐水口１４が形成されていない他方側の領域（便器本体２を前方から見て左側領域Ｌ）の棚部６の傾斜面６ａの傾斜角度γ２よりも大きくなるように設定されている（γ１＞γ２）。
【００２７】
また、図３〜図９に示す棚部６の各傾斜面６ａの余弦成分の長さに相当する棚部６の幅ａ１，ａ２，ｂ１，ｂ２，ｃ１，ｃ２，ｄは、ボウル部１０の後方から側方につれて大きくなるように設定されている（ａ１＞ｂ１＞ｃ１≧ｄ、ａ２＞ｂ２＞ｃ２＞ｄ）。
【００２８】
つぎに、図３〜図９に示すように、ボウル部１０は、さらに、リム部８の下端部８ａと棚部６の外縁部６ｂとの間を各曲面Ｒ１，Ｒ２，Ｓ１，Ｓ２，Ｔ１，Ｔ２，Ｕ１にて連結する外側連結部１８を備えている。この外側連結部１８の各曲面Ｒ１，Ｒ２，Ｓ１，Ｓ２，Ｔ１，Ｔ２，Ｕ１の立面視における上下方向の各曲率半径ｒ１，ｒ２，ｓ１，ｓ２，ｔ１，ｔ２，ｕ１は、ボウル部１０の後方から側方につれて小さくなるように設定されている（ｒ１＜ｓ１＜ｔ１≦ｕ１、ｒ２＜ｓ２＜ｔ２＜ｕ１）。
【００２９】
つぎに、図２、図３及び図４に示すように、ボウル部１０の中心Ｏに対して左右対称の位置における外側連結部１８の各曲面Ｒ１，Ｒ２の各曲率半径ｒ１，ｒ２においては、ボウル部１０の側方側領域の内のリム吐水口１４が形成されている一方側の領域（便器本体２を前方から見て右側領域Ｒ）の曲率半径ｒ１の方が、リム吐水口１４が形成されていない他方側の領域（便器本体２を前方から見て左側領域Ｌ）の曲率半径ｒ２よりも大きくなるように設定されている（ｒ１＞ｒ２）。
同様に、図５及び図６に示すように、ボウル部１０の中心Ｏに対して左右対称の位置における外側連結部１８の各曲面Ｓ１，Ｓ２の各曲率半径ｓ１，ｓ２においては、ボウル部１０の側方側領域の内のリム吐水口１４が形成されている一方側の領域（便器本体２を前方から見て右側領域Ｒ）の曲率半径ｓ１の方が、リム吐水口１４が形成されていない他方側の領域（便器本体２を前方から見て左側領域Ｌ）の曲率半径ｓ２よりも大きくなるように設定されている（ｓ１＞ｓ２）。
また、同様に、図７及び図６に示すように、ボウル部１０の中心Ｏに対して左右対称の位置における外側連結部１８の各曲面Ｔ１，Ｔ２の各曲率半径ｔ１，ｔ２においては、ボウル部１０の側方側領域の内のリム吐水口１４が形成されている一方側の領域（便器本体２を前方から見て右側領域Ｒ）の曲率半径ｔ１の方が、リム吐水口１４が形成されていない他方側の領域（便器本体２を前方から見て左側領域Ｌ）の曲率半径ｔ２よりも大きくなるように設定されている（ｔ１＞ｔ２）。
【００３０】
つぎに、図３〜図９に示すように、ボウル部１０は、さらに、棚部６の内縁部６ｃと汚物受け面４の上縁部４ａとの間を各曲面Ｒ３，Ｒ４，Ｓ３，Ｓ４，Ｔ３，Ｔ４，Ｕ２にて連結する内側連結部２０を備えている。この内側連結部２０の各曲面Ｒ３，Ｒ４，Ｓ３，Ｓ４，Ｔ３，Ｔ４，Ｕ２の立面視における上下方向の各曲率半径ｒ３，ｒ４，ｓ３，ｓ４，ｔ３，ｔ４，ｕ２は、ボウル部１０の後方から側方につれて小さくなるように設定されている（ｒ３＜ｓ３＜ｔ３＜ｕ２、ｒ４＜ｓ４＜ｔ４＜ｕ２）。
【００３１】
上述した本発明の一実施形態による水洗大便器１によれば、ボウル部１０の後方側領域Ｂ内の左右の一方の側（右側領域Ｒ）のリム部８に設けられたリム吐水部のリム吐水口１４から後端に向けて吐水された洗浄水は、棚部６上に沿って流れることによりボウル部１０の周方向に導かれて旋回する流れ（旋回流）を形成する。
この際、図３〜図９に示すように、棚部６の幅ａ１，ａ２，ｂ１，ｂ２，ｃ１，ｃ２，ｄが、ボウル部１０の後方から側方につれて大きくなるように設定されている（ａ１＞ｂ１＞ｃ１≧ｄ、ａ２＞ｂ２＞ｃ２＞ｄ）ため、リム吐水口１４から後方に吐水された洗浄水は、ボウル部１０の後方の棚部６に差し掛かると、幅が比較的小さい棚部６からボウル部１０内の後方側領域Ｂにスムーズに流れ込むことができる。また、ボウル部１０の側方の棚部６に差し掛かると、幅が後方よりも大きいため、洗浄水が棚部６から落ちにくく棚部６上に沿ってより前方へ向かいやすくなる。
したがって、汚物が付着し易いボウル部１０内の後方側領域Ｂについて、洗浄性を高めつつ、旋回性が低下することを抑制することができる。
【００３２】
また、上述した本発明の一実施形態による水洗大便器１によれば、ボウル部１０が、さらに、リム部８の下端部８ａと棚部６の外縁部６ｂとの間を各曲面Ｒ１，Ｒ２，Ｓ１，Ｓ２，Ｔ１，Ｔ２，Ｕ１にて連結する外側連結部１８を備えており、この外側連結部１８の各曲面Ｒ１，Ｒ２，Ｓ１，Ｓ２，Ｔ１，Ｔ２，Ｕ１の上下方向の各曲率半径ｒ１，ｒ２，ｓ１，ｓ２，ｔ１，ｔ２，ｕ１がボウル部１０の後方から側方につれて小さくなるように設定されている（ｒ１＜ｓ１＜ｔ１≦ｕ１、ｒ２＜ｓ２＜ｔ２＜ｕ１）ため、リム吐水口１４から後端に向けて吐水された洗浄水がボウル部１０の後方の外側連結部１８に差し掛かると、特に、図９に示す外側連結部１８の曲面Ｕ１の上下方向の比較的大きな曲率半径ｕ１で比較的小さい幅ｄの棚部６からボウル部１０内の後方側領域Ｂにスムーズに流れ込むことができる。また、ボウル部１０の側方の棚部６に差し掛かると、後方よりも幅が大きく且つ外側連結部１８の曲面の上下方向の曲率変形が後方よりも小さいため、洗浄水が棚部６から落ちにくく棚部６上に沿ってより前方へ向かいやすくなる。
したがって、汚物が付着し易いとボウル部１０内の後方側領域Ｂについて、より洗浄性を高めつつ、旋回性が低下することをさらに抑制することができる。
【００３３】
また、上述した本発明の一実施形態による水洗大便器１によれば、ボウル部１０の中心Ｏに対して左右対称の位置における外側連結部１８の各曲面Ｒ１，Ｒ２，Ｓ１，Ｓ２，Ｔ１，Ｔ２，Ｕ１の上下方向の各曲率半径ｒ１，ｒ２，ｓ１，ｓ２，ｔ１，ｔ２，ｕ１について、ボウル部１０の側方側領域の内のリム吐水口１４が形成されている一方側の領域（便器本体２を前方から見て右側領域Ｒ）の方が、リム吐水口１４が形成されていない他方側の領域（便器本体２を前方から見て左側領域）よりも大きくなるように設定されている（ｒ１＞ｒ２、ｓ１＞ｓ２、ｔ１＞ｔ２）ため、リム吐水口１４から後端に向けて吐水された洗浄水がボウル部１０の側方側領域の一方側の領域（右側領域Ｒ且つ前方側領域Ｆ）から後方側領域Ｂに差し掛かると、幅が比較的小さい棚部６からボウル部１０内の後方側領域Ｂにスムーズに流れ込むことができる。また、ボウル部１０の側方の棚部６に差し掛かると、後方よりも幅が大きいため、洗浄水が棚部６から落ちにくく棚部６上に沿ってより前方へ向かいやすくなる。
したがって、汚物が付着し易いボウル部内の後方側領域Ｂについて、より洗浄性を高めつつ、旋回性が低下することをさらに抑制することができる。
【００３４】
また、上述した本発明の一実施形態による水洗大便器１によれば、ボウル部１０が、さらに、棚部６の内縁部６ｃと汚物受け面４の上縁部４ａとの間を各曲面Ｒ３，Ｒ４，Ｓ３，Ｓ４，Ｔ３，Ｔ４，Ｕ２にて連結する内側連結部２０を備えており、この内側連結部２０の各曲面Ｒ３，Ｒ４，Ｓ３，Ｓ４，Ｔ３，Ｔ４，Ｕ２の上下方向の各曲率半径ｒ３，ｒ４，ｓ３，ｓ４，ｔ３，ｔ４，ｕ２がボウル部１０の後方から側方につれて小さくなるように設定されている（ｒ３＜ｓ３＜ｔ３＜ｕ２、ｒ４＜ｓ４＜ｔ４＜ｕ２）ため、リム吐水口１４から後方に吐水された洗浄水がボウル部１０の後方の内側連結部２０に差し掛かると、特に、図９に示す内側連結部２０の曲面Ｕ２の上下方向の比較的大きな曲率半径ｕ２で幅が比較的小さい棚部６からボウル部１０内の後方側領域Ｂにスムーズに流れ込むことができる。また、ボウル部１０の側方の棚部６に差し掛かると、後方よりも幅が大きく且つ内側連結部２０の曲面の上下方向の曲率半径が小さいため、洗浄水が棚部６から落ちにくく棚部６上に沿ってより前方へ向かいやすくなる。
したがって、汚物が付着し易いボウル部内の後方側領域Ｂについて、より洗浄性を高めつつ、旋回性が低下することをさらに抑制することができる。
【００３５】
また、上述した本発明の一実施形態による水洗大便器１によれば、棚部６がボウル部１０内の外側から内側に向かって下り傾斜する傾斜面６ａを備えており、図３〜図９に示すように、棚部６の各傾斜面６ａの各傾斜角度α１，α２，β１，β２，γ１，γ２，δが、ボウル部１０の後方から側方に位置するにつれて小さくなるように設定されている（α１≦β１＜γ１≦δ、α２≦β２＜γ２＜δ）ため、リム吐水口１４から後方に吐水された洗浄水がボウル部１０の側方から後方の棚部６の傾斜面６ａに差し掛かると、特に、図９に示す傾斜角度δが比較的大きく幅ｄが比較的小さい棚部６からボウル部１０内の後方側領域Ｂにスムーズに流れ込むことができる。また、ボウル部１０の側方の棚部６に差し掛かると、後方よりも幅が大きく且つ傾斜角度が小さいため、洗浄水が棚部６から落ちにくく棚部６上に沿ってより前方へ向かいやすくなる。
したがって、汚物が付着し易いボウル部１０内の後方側領域について、より洗浄性を高めつつ、旋回性が低下することをさらに抑制することができる。
【符号の説明】
【００３６】
１        水洗大便器
２        便器本体
４        汚物受け面
４ａ      汚物受け面の上縁部
６        棚部
６ａ      棚部の傾斜面
６ｂ      棚部の外縁部
６ｃ      棚部の内縁部
８        リム部
８ａ      リム部の下端部
１０        ボウル部
１２        排水トラップ管路
１２ａ      入口部
１４        リム吐水口
１６        ジェット吐水口
１８        外側連結部
２０        内側連結部
Ｘ        ボウル部の水平左右方向の中心軸線
Ｙ        ボウル部の水平前後方向の中心軸線
Ｚ        ボウル部の中心を通る鉛直方向の中心軸線
Ｂ        ボウル部の後方側領域
Ｆ        ボウル部の前方側領域
Ｌ        ボウル部の左側領域
Ｏ        ボウル部の中心
Ｒ        ボウル部の右側領域
【図１】
2018159246.tif 000003
【図２】
2018159246.tif 000004
【図３】
2018159246.tif 000005
【図４】
2018159246.tif 000006
【図５】
2018159246.tif 000007
【図６】
2018159246.tif 000008
【図７】
2018159246.tif 000009
【図８】
2018159246.tif 000010
【図９】
2018159246.tif 000011